【手続補正書】
【提出日】平成28年1月22日(2016.1.22)
【手続補正１】
【補正対象書類名】特許請求の範囲
【補正対象項目名】全文
【補正方法】変更
【補正の内容】
【特許請求の範囲】
【請求項１】
与薬指示識別情報を含む与薬指示情報が登録される与薬指示情報ファイルと、
与薬時に発生した与薬インシデントを示すインシデント情報が登録されるインシデント情報ファイルと、
媒体から前記与薬指示識別情報を読み取り、読み取った当該与薬指示識別情報に基づいて前記与薬指示情報ファイルから与薬指示情報を取得する与薬指示情報取得手段と、
前記取得された与薬指示情報を画面に表示する与薬指示情報表示手段と、
前記表示された与薬指示情報に対応する与薬インシデントを入力するための与薬インシデント入力欄を前記画面に表示するとともに、当該与薬入力欄への入力を受け付けてインシデントレポートを作成するインシデントレポート作成手段と、
前記インシデントレポート作成手段によって作成されたインシデントレポートと前記与薬指示情報とを前記インシデント情報として前記インシデント情報ファイルに登録するインシデント情報登録手段と、
を備えることを特徴とする与薬インシデント登録支援システム。
【請求項２】
前記与薬指示情報と前記与薬インシデント入力欄とを並べて画面に表示することを特徴とする請求項１に記載の与薬インシデント登録支援システム。
【請求項３】
前記インシデントレポート作成手段が、前記与薬指示情報に紐付けられたインシデント情報を作成することを特徴とする請求項１または２に記載の与薬インシデント登録支援システム。
【請求項４】
与薬時に発生した与薬インシデントを示すインシデント情報が登録されるインシデント情報ファイルへの登録を支援する与薬インシデント登録支援方法において、
与薬指示情報取得手段が、媒体から与薬指示識別情報を読み取り、読み取った当該与薬指示識別情報に基づいて、与薬指示識別情報を含む与薬指示情報が登録される与薬指示情報ファイルから与薬指示情報を取得する与薬指示情報取得工程と、
与薬指示情報表示手段が、前記取得された与薬指示情報を画面に表示する与薬指示情報表示工程と、
インシデントレポート作成手段が、前記表示された与薬指示情報に対応する与薬インシデントを入力するための与薬インシデント入力欄を前記画面に表示するとともに、当該与薬入力欄への入力を受け付けてインシデントレポートを作成するインシデントレポート作成工程と、
インシデント情報登録手段が、前記インシデントレポート作成手段によって作成されたインシデントレポートと前記与薬指示情報とを前記インシデント情報として前記インシデント情報ファイルに登録するインシデント情報登録工程と、
を含むことを特徴とする与薬インシデント登録支援方法。
【手続補正２】
【補正対象書類名】明細書
【補正対象項目名】発明の名称
【補正方法】変更
【補正の内容】
【発明の名称】与薬インシデント登録支援システム及び与薬インシデント登録支援方法
【手続補正３】
【補正対象書類名】明細書
【補正対象項目名】０００１
【補正方法】変更
【補正の内容】
【０００１】
本発明は、注射時にインシデントが発生した場合に、簡潔にインシデントの発生源入力を可能とする与薬インシデント登録支援システムに関する。
【手続補正４】
【補正対象書類名】明細書
【補正対象項目名】０００６
【補正方法】変更
【補正の内容】
【０００６】
本発明の目的は、医師の注射指示に対して、与薬インシデント発生時に、数ある注射指示情報の中から該当注射指示情報を容易に特定し、インシデントレポートを簡便に作成することができる与薬インシデント登録支援システムを提供することである。
【手続補正５】
【補正対象書類名】明細書
【補正対象項目名】０００７
【補正方法】変更
【補正の内容】
【０００７】
上記目的を達成するために、本発明の与薬インシデント登録支援システムは、
与薬指示識別情報を含む与薬指示情報が登録される与薬指示情報ファイルと、
与薬時に発生した与薬インシデントを示すインシデント情報が登録されるインシデント情報ファイルと、
媒体から前記与薬指示識別情報を読み取り、読み取った当該与薬指示識別情報に基づいて前記与薬指示情報ファイルから与薬指示情報を取得する与薬指示情報取得手段と、
前記取得された与薬指示情報を画面に表示する与薬指示情報表示手段と、
前記表示された与薬指示情報に対応する与薬インシデントを入力するための与薬インシデント入力欄を前記画面に表示するとともに、当該与薬入力欄への入力を受け付けてインシデントレポートを作成するインシデントレポート作成手段と、
前記インシデントレポート作成手段によって作成されたインシデントレポートと前記与薬指示情報とを前記インシデント情報として前記インシデント情報ファイルに登録するインシデント情報登録手段と、
を備えることを特徴とする。
【手続補正６】
【補正対象書類名】明細書
【補正対象項目名】０００８
【補正方法】変更
【補正の内容】
【０００８】
また、本発明の与薬インシデント登録支援システムは、
前記与薬指示情報と前記与薬インシデント入力欄とを並べて画面に表示することを特徴とする。
【手続補正７】
【補正対象書類名】明細書
【補正対象項目名】０００９
【補正方法】変更
【補正の内容】
【０００９】
また、本発明の与薬インシデント登録支援システムは、
前記インシデントレポート作成手段が、前記与薬指示情報に紐付けられたインシデント情報を作成することを特徴とする。
【手続補正８】
【補正対象書類名】明細書
【補正対象項目名】００１１
【補正方法】変更
【補正の内容】
【００１１】
【図１】本発明の実施形態に係る与薬インシデント登録支援システムの構成の一例を示す図である。
【図２】注射指示情報ファイルに格納される注射指示情報の構成の一例を示す図である。
【図３】バーコードラベル印刷部によって印字されるバーコードラベルのデータの構成の一例を示す図である。
【図４】移動端末の表示部に表示されるメニュー画面の表示の一例を示す図である。
【図５】移動端末による注射指示情報表示処理の流れの一例を示すフローチャートである。
【図６】インシデント情報ファイルに格納されるインシデント情報の構成の一例を示す図である。
【図７】移動端末によるインシデントレポート入力処理の流れの一例を示すフローチャートである。
【図８】インシデントサマリー入力画面の一例を示す図である。
【図９】インシデント詳細入力画面の一例を示す図である。
【手続補正９】
【補正対象書類名】明細書
【補正対象項目名】００１２
【補正方法】変更
【補正の内容】
【００１２】
以下、本発明の実施形態に係る与薬インシデント登録支援システムについて、図面を参照して具体的に説明する。
【手続補正１０】
【補正対象書類名】明細書
【補正対象項目名】００１３
【補正方法】変更
【補正の内容】
【００１３】
図１は、本発明の実施形態に係る与薬インシデント登録支援システムの構成の一例を示す。
本与薬インシデント登録支援システムは、図１に示すように、病院情報システム処理装置１と、医師看護師用端末５と、移動端末１５とにより構成されている。病院情報システム処理装置１は、専用の設置室に配置され、医師看護師用端末５は診察室や病棟ナースセンターなど医療従事者が医療行為を行う場所に配置され、移動端末１５は病棟勤務の看護師が携帯している。
通信回線４は、院内におけるローカルエリアネットワークを構築し、病院情報システム処理装置１と、医師看護師用端末５と、無線通信装置１０とを接続するために用いられる。無線回線１４は、病棟における無線ローカルエリアネットワークを構築し、無線通信装置１０と移動端末１５とを接続するために用いられる。よって、移動端末１５は、通信回線４と無線回線１４を介して、病院情報システム処理装置１や医師看護師用端末５と相互に通信が可能である。
【手続補正１１】
【補正対象書類名】明細書
【補正対象項目名】００１４
【補正方法】変更
【補正の内容】
【００１４】
病院情報システム処理装置１には、注射指示情報ファイル２とインシデント情報ファイル３を記録したハードディスク等の記録媒体が接続されている。
また、病院情報システム処理装置１は、注射指示登録部１１と、注射指示送付部１２と、インシデント情報登録部１３とを備えている。
注射指示登録部１１は、医師看護師用端末５から送信される注射指示情報を注射指示情報ファイル２に登録する。
注射指示送付部１２は、医師看護師用端末５または移動端末１５から送信される注射指示情報要求に応答して注射指示情報要求に含まれる注射指示情報キーにより注射指示情報ファイル２を検索し、注射指示情報を注射指示情報ファイル２から読み出して医師看護師用端末５または移動端末１５に送信する。
インシデント情報登録部１３は、医師看護師用端末５または移動端末１５から送信されるインシデント情報をインシデント情報ファイル３に登録する。
【手続補正１２】
【補正対象書類名】明細書
【補正対象項目名】００１６
【補正方法】変更
【補正の内容】
【００１６】
また、医師看護師用端末５は、注射指示受付部５０と、注射指示送信部５１と、注射指示取得部５２と、注射指示表示部５３と、データ変換部５４と、インシデントレポート作成部５５とを備えている。
注射指示受付部５０は、注射指示者が入力部６を用いて入力した注射指示情報を受け付ける。注射指示送信部５１は、注射指示受付部５０によって受け付けられた注射指示情報を病院情報システム処理装置１に送信する。
注射指示取得部５２は、バーコード読取部９を用いてバーコードを読み取り、そのバーコードを注射指示情報キーに変換して注射指示情報キーを含む注射指示情報要求を病院情報システム処理装置１に送信し、病院情報システム処理装置１から注射指示情報を受信する。
注射指示表示部５３は、注射指示取得部５２によって受信された注射指示情報を表示部７に表示する。
データ変換部５４は、注射指示受付部５０によって受け付けられた注射指示情報に含まれる注射指示情報キーをバーコード形式に変換し、バーコードを表示するバーコードラベルを作成し、バーコードラベル印刷部８にそのバーコードラベルを印刷させる。
インシデント情報作成部５５は、後述するように、注射指示取得部５２によって受信された注射指示情報に対応する与薬インシデントに関する情報を受け付けてインシデントレポートを作成して病院情報システム処理装置１に送信する。
【手続補正１３】
【補正対象書類名】明細書
【補正対象項目名】００１９
【補正方法】変更
【補正の内容】
【００１９】
図２は、注射指示情報ファイル２に格納される注射指示情報の構成の一例を示す。
注射指示情報は、患者番号２０１と、オーダ番号２０２と、注射手技通番２０３と、時間帯通番２０４と、注射手技２０５と、時間帯２０６と、薬品２１０と、数量２２０と、単位２３０と、投与速度２４０と、薬品コメント情報２５０とを含む。その内、患者番号２０１とオーダ番号２０２と注射手技通番２０３と時間帯通番２０４とを注射指示情報キー２００と総称する。
注射指示情報キー２００は、注射指示情報ファイル２に記録された複数の注射指示情報を一意に識別するためのキー項目である。即ち、注射指示情報ファイル２には、注射指示情報キー２００が異なる１以上の注射指示情報が記録されている。逆に、どの注射指示情報についても、注射指示情報キー２００が同一となる他のレコードは存在しない。なお、注射指示情報キー２００は本発明の注射指示識別情報の一例である。
患者番号２０１には、当該注射指示情報が対象としている診療行為がいずれの患者に対して行われたものかを示すため、当該患者の患者番号が設定される。なお、患者番号は、原則として１患者に対して１つだけ付与され、かつ患者ごとに異なっているものとする。
オーダ番号２０２には、患者番号２０１ごとに注射指示の通番が設定される。そのため、異なる患者番号２０１では同一のオーダ番号２０２が存在する。
注射手技通番２０３には、オーダ番号２０２ごとに注射手技の通番が設定される。患者番号２０１またはオーダ番号２０２が異なれば、注射手技通番２０３は同一であってもよい。
時間帯通番２０４には、注射手技通番２０３ごとに時間帯の通番が設定される。時間帯通番２０４は注射指示の最小単位である。患者番号２０１とオーダ番号２０２と注射手技通番２０３のいずれかが異なれば時間帯通番２０４は同一であってもよい。
【手続補正１４】
【補正対象書類名】明細書
【補正対象項目名】００３０
【補正方法】変更
【補正の内容】
【００３０】
１…病院情報システム処理装置、２…注射指示情報ファイル、３…インシデント情報ファイル、４…通信回線、５…医師看護師用端末、８…バーコードラベル印刷部、９…バーコード読取部、１０…無線通信装置、１１…注射指示登録部、１２…注射指示送付部、１３…インシデント情報登録部、１４…無線回線、１５…移動端末、１８…バーコード読取部、１９…インシデントレポート作成部、２０…注射指示取得部、２１…注射指示表示部、５０…注射指示受付部、５１…注射指示送信部、５２…注射指示取得部、５３…注射指示表示部、５４…データ変換部、５５…インシデントレポート作成部